【手続補正書】
【提出日】平成19年5月17日(2007.5.17)
【手続補正１】
【補正対象書類名】明細書
【補正対象項目名】特許請求の範囲
【補正方法】変更
【補正の内容】
【特許請求の範囲】
【請求項１】  複数のインクジェットノズルを有し、記録媒体に向けてインクを噴射して画像を記録するインクジェットヘッドと、前記インクジェットヘッドを保持するヘッド保持枠と、前記インクジェットヘッドによって記録される記録媒体上の画像を光学的に読み取る画像読み取り手段と、を有するインクジェット記録装置において、
前記インクジェットヘッドが前記対向している記録媒体に最も接近された時、前記画像読取手段の焦点が前記対向している記録媒体よりも遠くに配置されるように、前記画像読み取り手段は前記ヘッド保持枠に保持されることを特徴とするインクジェット記録装置。
【請求項２】  前記記録媒体を支持するプラテンを有し、
前記画像読み取り手段は、前記インクジェットヘッドが前記プラテンに支持されている記録媒体に最も接近された時、前記画像読み取り手段の焦点が前記プラテンよりも遠くに配置されることを特徴とする請求項１記載のインクジェット記録装置。
【請求項３】  前記インクジェットヘッドが、用いられると予測される最も厚さの薄い記録媒体に対して画像を形成する位置に保持された時、前記画像読み取り手段の焦点が前記プラテンよりも遠くに配置される、ことを特徴とする請求項３記載のインクジェット記録装置。
【請求項４】  前記ヘッド保持枠は、前記記録媒体面に対して交差する方向に移動可能であることを特徴とする請求項３乃至４いずれかに記載のインクジェット記録装置。
【請求項５】  用いられると予測される最も厚さの薄い記録媒体に対して画像を形成する位置に保持された時における前記画像読み取り手段の焦点位置と前記プラテンの記録媒体支持面との間の寸法が、前記ヘッド保持枠の移動可能範囲よりも小さくなるように、前記画像読み取り手段は前記ヘッド保持枠に保持されることを特徴とする請求項５記載のインクジェット記録装置。
【請求項６】  前記画像読み取り手段を前記記録媒体面に対して交差する方向に移動させうる前進後退機構を具備することを特徴とする請求項１乃至４いずれかに記載のインクジェット記録装置。
【請求項７】  前記記録媒体は記録媒体搬送方向に沿って搬送され、前記画像読み取り手段の光軸は前記インクジェットヘッドの前記複数のインクジェットノズルの中で前記記録媒体搬送方向において最も上流側に位置するインクジェットノズルよりも下方に配置されている、ことを特徴とする請求項１記載のインクジェット記録装置。
【請求項８】  前記画像読み取り手段は、前記対向する記録媒体との間の距離を検出することを特徴とする請求項１記載のインクジェット記録装置。
【請求項９】  前記画像読み取り手段は、前記対向する記録媒体との間の距離が所定の距離に達したことを検出することを特徴とする請求項９記載のインクジェット記録装置。
【請求項１０】  複数のインクジェットノズルを有し、記録媒体に向けてインクを噴射して画像を記録するインクジェットヘッドと、前記インクジェットヘッドを保持するヘッド保持枠と、前記インクジェットヘッドによって記録される記録媒体上の画像を光学的に読み取る画像読み取り手段と、を有するインクジェット記録装置において、
前記インクジェットヘッドが用いられると予測される最も厚さの薄い記録媒体に対して画像を形成する位置に保持された時、前記画像読み取り手段の焦点が前記記録媒体よりも遠くに配置されるよう、前記画像読み取り手段は前記ヘッド枠に保持されることを特徴とするインクジェット記録装置。
【手続補正２】
【補正対象書類名】明細書
【補正対象項目名】０００８
【補正方法】変更
【補正の内容】
【０００８】
【課題を解決するための手段】上述した目的を達成する為に、請求項１に従ったインクジェット記録装置は、複数のインクジェットノズルを有し、記録媒体に向けてインクを噴射して画像を記録するインクジェットヘッドと、前記インクジェットヘッドを保持するヘッド保持枠と、前記インクジェットヘッドによって記録される記録媒体上の画像を光学的に読み取る画像読み取り手段と、を有するインクジェット記録装置において、前記画像読み取り手段は、前記インクジェットヘッドが前記対向している記録媒体に最も接近された時、前記画像読取手段の焦点が前記対向している記録媒体よりも遠くに配置されるように、前記ヘッド保持枠に保持されることを特徴としている。
【手続補正３】
【補正対象書類名】明細書
【補正対象項目名】００１０
【補正方法】変更
【補正の内容】
【００１０】
また、請求項２に従ったインクジェット記録装置は、前記記録媒体を支持するプラテンを有し、前記画像読み取り手段は、前記インクジェットヘッドが前記プラテンに支持されている記録媒体に最も接近された時、前記画像読み取り手段の焦点が前記プラテンよりも遠くに配置されることを特徴としている。また、請求項３に従ったインクジェット記録装置は、前記インクジェットヘッドが、用いられると予測される最も厚さの薄い記録媒体に対して画像を形成する位置に保持された時、前記画像読み取り手段の焦点が前記プラテンよりも遠くに配置される、ことを特徴としている。
【手続補正４】
【補正対象書類名】明細書
【補正対象項目名】００１１
【補正方法】変更
【補正の内容】
【００１１】
また、請求項４に従ったインクジェット記録装置は、前記ヘッド保持枠は、前記記録媒体面に対して交差する方向に移動可能であることを特徴としている。また、請求項５に従ったインクジェット記録装置は、用いられると予測される最も厚さの薄い記録媒体に対して画像を形成する位置に保持された時における前記画像読み取り手段の焦点位置と前記プラテンの記録媒体支持面との間の寸法が、前記ヘッド保持枠の移動可能範囲よりも小さくなるように、前記画像読み取り手段は前記ヘッド保持枠に保持されることを特徴としている。また、請求項６に従ったインクジェット記録装置は、前記画像読み取り手段を前記記録媒体面に対して交差する方向に移動させうる前進後退機構を具備することを特徴としている。
【手続補正５】
【補正対象書類名】明細書
【補正対象項目名】００１２
【補正方法】変更
【補正の内容】
【００１２】
また、請求項７に従ったインクジェット記録装置は、前記記録媒体は記録媒体搬送方向に沿って搬送され、前記画像読み取り手段の光軸は前記インクジェットヘッドの前記複数のインクジェットノズルの中で前記記録媒体搬送方向において最も上流側に位置するインクジェットノズルよりも下方に配置されている、ことを特徴としている。また、請求項８に従ったインクジェット記録装置は、前記画像読み取り手段は、前記対向する記録媒体との間の距離を検出することを特徴としている。また、請求項９に従ったインクジェット記録装置は、前記画像読み取り手段は、前記対向する記録媒体との間の距離が所定の距離に達したことを検出することを特徴としている。また、請求項１０に従ったインクジェット記録装置は、複数のインクジェットノズルを有し、記録媒体に向けてインクを噴射して画像を記録するインクジェットヘッドと、前記インクジェットヘッドを保持するヘッド保持枠と、前記インクジェットヘッドによって記録される記録媒体上の画像を光学的に読み取る画像読み取り手段と、を有するインクジェット記録装置において、前記インクジェットヘッドが用いられると予測される最も厚さの薄い記録媒体に対して画像を形成する位置に保持された時、前記画像読み取り手段の焦点が前記記録媒体よりも遠くに配置されるよう、前記画像読み取り手段は前記ヘッド枠に保持されることを特徴としている。
【手続補正６】
【補正対象書類名】明細書
【補正対象項目名】００１９
【補正方法】変更
【補正の内容】
【００１９】
ヘッド保持体１４にはさらに、記録媒体２４に対向するよう光学的な画像読み取り手段２５が搭載されているとともに、画像読み取り手段２５の焦点Ｆに向かい光を照射する光源ＬＳが搭載されている。この実施形態において画像読み取り手段２５はＣＣＤ（Ｃｈａｒｇｅ Ｃｏｕｐｌｅｄ Ｄｅｖｉｃｅ）により構成されていて、光源ＬＳは小形で省電力な発光素子により構成されている。
【手続補正７】
【補正対象書類名】明細書
【補正対象項目名】００４４
【補正方法】変更
【補正の内容】
【００４４】
なお、画像読み取り手段２５による画像の読み取りは、キャリッジ１６の往動時に記録媒体２４に画像を記録し、復動時に記録されたばかりの画像を読み取ることも可能である。